(57)【特許請求の範囲】
【請求項１】
換気開口２に臨んで起立配置される換気ユニット１を備えており、
換気ユニット１は、四角形に組まれる保形枠体９と、保形枠体９に対して多段列状に組み付けられる一群の外ルーバー枠１０と、外ルーバー枠１０の内面に直線列状に組み付けられる一群の中央ルーバー枠１１と、中央ルーバー枠１１の内面に多段列状に組み付けられる一群の内ルーバー枠１２とを含み、
内外の両ルーバー枠１０・１２と中央ルーバー枠１１とは縦横に交差する状態で内外方向に隣接配置されており、
各ルーバー枠１０・１１・１２を通り抜ける通気経路Ｔが、隣接する外ルーバー枠１０で規定される斜め下向きの第１経路Ｔ１と、隣接する中央ルーバー枠１１で規定される中途部が屈曲する第２経路Ｔ２と、隣接する内ルーバー枠１２で規定される斜め上向きの第３経路Ｔ３で構成してあることを特徴とする建物用の換気構造。
【請求項２】
外ルーバ枠１０、および内ルーバー枠１２が、それぞれ保形枠体９の縦枠９ａで受け止められる第１壁２１と、それぞれ中央ルーバー枠１１に接当する第２壁２２と、第１・第２の両壁２１・２２を繋ぐ斜めの第３壁２３とを含む異形断面状のアルミニウム条材で形成されており、
外ルーバ枠１０および内ルーバー枠１２が、両者１０・１２の第３壁２３が逆ハ字状に傾斜する状態で保形枠体９に固定してある請求項１記載の建物用の換気構造。
【請求項３】
中央ルーバー枠１１を挟んで内外に対向する第２壁２２で、第２経路Ｔ２の入口と出口とが規定されている請求項２記載の建物用の換気構造。
【請求項４】
換気開口２の上面が、逆Ｖ字状に組まれた一対の換気ユニット１で覆われており、
各換気ユニット１の保形枠体９の下横枠９ｃが屋根下地Ｂに固定した取付金具４５に締結固定してある請求項１または２または３記載の建物用の換気構造。
【請求項５】
換気開口２に臨む各換気ユニット１の保形枠体９と屋根下地Ｂとの間に、結露水を受け止める内樋５２が配置されており、
内樋５２から導出した排水路５４が屋根材５６の外面に臨ませてある請求項４記載の建物用の換気構造。
【請求項６】
中空のアルミニウム条材で形成した下横枠９ｃの内部に、融雪用のヒーター６２が配置してある請求項４または５記載の建物用の換気構造。
【請求項７】
中央ルーバー枠１１が、外ルーバー枠１０および内ルーバー枠１２を受け止める、外ベース壁２８および内ベース壁２９と、両ベース壁２８・２９を繋ぐ断面く字状の屈曲壁３０とを一体に備えており、
屈曲壁３０の屈曲部外面と、内ベース壁２９の端部内面とのそれぞれに、第２経路Ｔ２を通過する空気流を反転案内する第１反転部３１と、第２反転部３２とが形成してある請求項１から６のいずれかに記載の建物用の換気構造。
【発明の詳細な説明】
【技術分野】
【０００１】
本発明は、工場、体育館、倉庫などの建物の、例えば棟部分に設置される建物用の換気構造に関する。
【背景技術】
【０００２】
この種の換気構造は特許文献１に公知である。そこでは、山形に連結した２組の遮蔽ユニットで換気構造を構成している。遮蔽ユニットは、一定間隔置きに配置される支柱の内外に、水平のルーバー板を上下多段状に対向配置して構成してある。ルーバー板は、帯状の金属板材の上部を内向きに、下部を外向きにそれぞれ折り曲げた折版材からなり、上下に隣接するルーバー板の上下縁どうしが、上下方向へ重なるように取り付けてある。棟部分に開口される換気口の周縁は、縦壁を含む四角枠状の水切板によって囲んである。
【０００３】
本発明の換気構造では、ルーバー枠を縦横に交差配置するが、この種の換気ユニットは、特許文献２に公知である。そこでは、四角形に組んだ保形枠体の外面に、横ルーバー枠の一群を多段列状に配置し、その内面に縦ルーバー枠の一群を左右方向へ直線列状に配置して換気ユニットとしている。縦ルーバー枠は断面く字状のアルミニウム条材で形成してあり、横ルーバー枠は、断面Ｊ字状のアルミニウム条材で形成してある。
【０００４】
【特許文献１】特公平２−１４５０３号公報（第２頁第３欄、第５図）
【特許文献２】特開２００２−２７６２５６号公報（段落番号００１０、図２）
【発明の開示】
【発明が解決しようとする課題】
【０００５】
特許文献１の換気構造によれば、遮蔽ユニットの通気経路が最短でも逆Ω字状になるので、雨水の屋内への浸入を防止できる。しかし、ルーバー板が内外に近接対向しているので、暴風雨時には、雨水の一部が空気流とともに屋内側へ吹き込むおそれがあり、防水性能に不安が残る。特許文献２の換気ユニットにおいては、縦横のルーバー枠で空気の流れを屈曲し反転案内することにより、風とともに吹き込む雨滴を分離できるが、雨滴の分離を主として屋内側の縦ルーバー枠で行うので、除去し切れなかった雨滴を含む空気流が屋内側へ吹き込むおそれがあり、さきの遮蔽ユニットと同様に暴風雨時の防水性能に不安が残る。遮蔽ユニットと換気ユニットのいずれにおいても、屋内側のルーバー板、またはルーバー枠の表面に結露を生じるような場合に、結露水が換気口を介して屋内へ滴下するおそれがあり、この点でも改良の余地がある。
【０００６】
本発明の目的は、暴風雨時における雨滴の吹き込みを確実に防止でき、従来の換気構造に比べてより高度の防水性能を発揮できる建物用の換気構造を提供することにある。本発明の目的は、屋内側のルーバー枠の表面に生じる結露が屋内へ滴下するのを防止できる建物用の換気構造を提供することにある。本発明の目的は、換気ユニットの取り付けを少ない手間で簡便に行うことができ、その分だけ換気構造の施工に要する手間と時間を削減できる建物用の換気構造を提供することにある。
【課題を解決するための手段】
【０００７】
本発明の建物用の換気構造は、換気開口２に臨んで起立配置される換気ユニット１を備えている。換気ユニット１は、四角形に組まれる保形枠体９と、保形枠体９に対して多段列状に組み付けられる一群の外ルーバー枠１０と、外ルーバー枠１０の内面に直線列状に組み付けられる一群の中央ルーバー枠１１と、中央ルーバー枠１１の内面に多段列状に組み付けられる一群の内ルーバー枠１２とを含む。図１に示すように、内外の両ルーバー枠１０・１２と中央ルーバー枠１１とは縦横に交差する状態で内外方向に隣接配置する。各ルーバー枠１０・１１・１２を通り抜ける通気経路Ｔが、隣接する外ルーバー枠１０で規定される斜め下向きの第１経路Ｔ１と、隣接する中央ルーバー枠１１で規定される中途部が屈曲する第２経路Ｔ２と、隣接する内ルーバー枠１２で規定される斜め上向きの第３経路Ｔ３で構成してあることを特徴とする（請求項１）。
【０００８】
図４に示すように、外ルーバ枠１０、および内ルーバー枠１２は、それぞれ保形枠体９の縦枠９ａで受け止められる第１壁２１と、それぞれ中央ルーバー枠１１に接当する第２壁２２と、第１・第２の両壁２１・２２を繋ぐ斜めの第３壁２３とを含む異形断面状のアルミニウム条材で形成する。外ルーバ枠１０および内ルーバー枠１２は、両者１０・１２の第３壁２３が逆ハ字状に傾斜する状態で保形枠体９に固定する（請求項２）。
【０００９】
中央ルーバー枠１１を挟んで内外に対向する第２壁２２で、第２経路Ｔ２の入口と出口とを規定する（請求項３）。
【００１０】
換気開口２の上面を、逆Ｖ字状に組まれた一対の換気ユニット１で覆う。図７に示すように各換気ユニット１の保形枠体９の下横枠９ｃを屋根下地Ｂに固定した取付金具４５に締結固定する（請求項４）。
【００１１】
図９に示すように、換気開口２に臨む各換気ユニット１の保形枠体９と屋根下地Ｂとの間に、結露水を受け止める内樋５２を配置し、内樋５２から導出した排水路５４を屋根材５６の外面に臨ませる（請求項５）。
【００１２】
図１０に示すように、中空のアルミニウム条材で形成した下横枠９ｃの内部に、融雪用のヒーター６２を配置する（請求項６）。
【００１３】
図５に示すように、中央ルーバー枠１１は、外ルーバー枠１０および内ルーバー枠１２を受け止める、外ベース壁２８および内ベース壁２９と、両ベース壁２８・２９を繋ぐ断面く字状の屈曲壁３０とを一体に備えている。屈曲壁３０の屈曲部外面と、内ベース壁２９の端部内面とのそれぞれに、第２経路Ｔ２を通過する空気流を反転案内する第１反転部３１と、第２反転部３２とを形成する（請求項７）。
【発明の効果】
【００１４】
本発明に係る建物用の換気構造では、外ルーバー枠１０と、中央ルーバー枠１１と、内ルーバー枠１２とを内外方向へ三重構造となるように保形枠体９に組み、内外の両ルーバー枠１０・１２と中央ルーバー枠１１とを縦横に交差配置することにより、各ルーバー枠１０・１１・１２を通り抜ける通気経路Ｔを、斜め下向きの第１経路Ｔ１と、中途部が屈曲する第２経路Ｔ２と、斜め上向きの第３経路Ｔ３とで構成して、雨滴を含む空気流を繰り返し変向して雨滴の分離機会を増加できるようにした。従って、本発明の換気構造によれば、従来のこの種の換気構造に比べてより高度の防水性能を発揮でき、例えば、暴風雨時において、雨滴を含む空気流が屋内側へ吹き込むのを確実に防止しながら、屋内の換気を効果的に行うことができる（請求項１）。
【００１５】
外ルーバ枠１０および内ルーバー枠１２を、両者１０・１２の第３壁２３が逆ハ字状に傾斜する状態で保形枠体９に固定するようにした換気ユニット１によれば、屋根の外面に沿って軒先側から棟側へ向かって吹き上がってきた雨滴や雪を、換気構造の外面に臨む第３壁２３で受け止めて、雨滴や雪が換気ユニット１内へ吹き込むのを確実に防止できるうえ、吹き上がってくる風に対する抵抗が小さい分だけ、換気構造の取り付け構造を簡素化できる（請求項２）。
【００１６】
中央ルーバー枠１１を挟んで内外に対向配置した、外ルーバー枠１０および内ルーバー枠１２の第２壁２２で第２経路Ｔ２の入口と出口とを規定する換気ユニット１によれば、第２経路Ｔ２の出口側開口を、内ルーバー枠１２の第２壁２２でせき止めて出口位置を規定できるので、第１経路Ｔ１から第２経路Ｔ２に吹き込んだ空気流が、第２経路Ｔ２を斜め下向きに吹き抜けるのを阻止でき、従って、第２経路Ｔ２に侵入した空気流を、第１反転部３１と、第２反転部３２とにほぼ直交状に流入させて、各反転部３１・３２で雨滴の分離を確実に行うことができ、その分だけ換気構造の信頼性を向上できる（請求項３）。
【００１７】
逆Ｖ字状に組んだ一対の換気ユニット１を要素単位にして換気構造を構成し、各換気ユニット１の保形枠体９の下横枠９ｃを屋根下地Ｂに固定した取付金具４５に締結固定するようにした換気構造によれば、取付金具４５を屋根に固定し、さらに各換気ユニット１を取付金具４５に締結固定するだけの手間で、換気ユニット１を屋根に取り付けることができるので、屋根側にフレームなどの構造体を予め設けておく必要があった従来の換気構造に比べて、換気構造の取り付けを少ない手間で簡便に行うことができ、その分だけ施工に要する手間と時間を削減できる（請求項４）。
【００１８】
換気ユニット１の保形枠体９と屋根下地Ｂとの間に結露水を受け止める内樋５２を配置し、内樋５２から導出した排水路５４を屋根材５６の外面に臨ませるようにした換気構造によれば、屋内側の内ルーバー枠１２の表面などに生じる結露水を内樋５２で受け止めて、屋根外面へ排出できるので、結露水が換気開口２を介して屋内へ滴下するのを確実に防止でき、雨滴の吹き込みを防止できることと相俟って、換気構造の総合的な防水性能を向上できる点で優れている（請求項５）。
【００１９】
中空のアルミニウム条材で形成した下横枠９ｃの内部に、融雪用のヒーター６２を配置する換気ユニット１によれば、換気ユニット１の排水口となる下横枠９ｃの上面付近に凍結しようとする雨水や雪をヒーター６２で加熱して流下できるので、換気ユニット１内を流下してきた水が凍結部分や、その上面に積もった雪でせき止められて屋内側へ溢れるのを確実に防止でき、寒冷な地域においても換気構造を適正に機能させることができる（請求項６）。
【００２０】
外ベース壁２８および内ベース壁２９と、両ベース壁２８・２９を繋ぐ断面く字状の屈曲壁３０とで中央ルーバー枠１１を構成し、屈曲壁３０の屈曲部外面と、内ベース壁２９の端部内面とのそれぞれに、第２経路Ｔ２を通過する空気流を反転案内する第１反転部３１と、第２反転部３２とを形成した換気ユニット１によれば、第２経路Ｔ２を通過しようとする空気流を両反転部３１・３２においてそれぞれ反転案内して、その間に空気流に比べて運動慣性力が大きな雨滴を第１反転部３１および、第２反転部３２に衝突させて、空気流から分離できる。つまり、雨滴の分離機会を増やして、雨滴を含む空気流が屋内側へ吹き込むのをさらに確実に防止できる（請求項７）。
【発明を実施するための最良の形態】
【００２１】
図１ないし図９は本発明に係る建物用の換気構造の実施例を示す。図２および図３において換気構造は、四角形の換気ユニット１を主な構成要素にして三角屋根状に構成してあり、屋根の棟部分に開口した換気開口２の上面を覆う。図２において符号３は、逆Ｖ字状に組まれた換気ユニット１の端部開口を塞ぐ端壁、４は換気ユニット１の連結部上面を覆う天板、５は連結部カバーである。
【００２２】
図４および図５において、換気ユニット１は、四角形に組まれる保形枠体９と、保形枠体９に多段列状に組み付けられる外ルーバー枠１０と、中央ルーバー枠１１と、外ルーバー枠１０と同様に多段列上に組み付けられる内ルーバー枠１２などで構成する。保形枠体９は、一対の縦枠９ａと、両縦枠９ａの上端、および下端どうしを繋ぐ、上横枠９ｂ、および下横枠９ｃとで構成する。縦枠９ａは断面Ｈ字状のアルミニウム条材からなり、その外面に断面コ字形の第２連結金具１４が固定してある。上横枠９ｂは断面Ｃ字状のアルミニウム条材からなり、下横枠９ｃはアルミニウム製の異形断面状の中空条材で形成してある。
【００２３】
図４において、下横枠９ｃは斜めに傾ぐ中空四辺形状の基部１５を有し、その下面および上面に締結壁１６および支持壁１７が突設され、基部１５の内面側辺部に連続して受壁１８が上向きに突設してある。基部１５の底面は屋根の勾配に合致して傾斜してある。基部１５の内部は、その上下壁面を繋ぐ補強壁１９によって４個の区室に区分されている。受壁１８は止水壁として機能しており、換気ユニット１の上方から流下してきた雨水が、空気流に吹き飛ばされて屋内へ入り込むのを阻止するために設けてある。
【００２４】
図４において、外ルーバー枠１０は、内外平行で上下段違い状に配置される第１壁２１、および第２壁２２と、第１・第２の両壁２１・２２を斜めに繋ぐ第３壁２３とを一体に備えた断面Ｊ字状のアルミニウム条材からなり、第３壁２３の中途部にビス用のねじ込み溝２４が形成してある。図４に示すように、第３壁２３が斜め下向きに傾斜し、かつ第１壁２１が縦枠９ａの外壁内面に接当する状態で、外ルーバー枠１０を縦枠９ａにあてがい、縦枠９ａの外側面からビス２５をねじ込み溝２４にねじ込む（図５参照）ことにより、外ルーバー枠１０が縦枠９ａに固定される。一群の外ルーバー枠１０は、それぞれ上横枠９ｂと平行な姿勢で一定間隔置きに固定されて、上下に隣接する外ルーバー枠１０の間に通気経路Ｔを構成する斜め下向きの第１経路Ｔ１（図１、図４参照）が形成される。
【００２５】
内ルーバー枠１２は、外ルーバー枠１０と同じアルミニウム条材であるので、同じ部材に同じ符号を付してその説明を省略する。内ルーバー枠１２の縦枠９ａに対する取り付け構造は、外ルーバー枠１０と基本的に同じであるが、外ルーバー枠１０とは内外逆向きに反転した状態で固定する点が異なる。上下に隣接する内ルーバー枠１２の間には、通気経路Ｔを構成する斜め上向きの第３経路Ｔ３が形成される（図１、図４参照）。内外の両ルーバー枠１０・１２を縦枠９ａの内面に固定した状態においては、図６に示すように、それぞれの第３壁２３・２３が逆ハ字状に傾斜することになる。なお、外ルーバー枠１０が縦枠９ａの上下方向のほぼ全長にわたって配置されるのに対し、図７に示すように内ルーバー枠１２の最下段位置は、下横枠９ｃの受壁１８の上端付近になっている。
【００２６】
図５において、中央ルーバー枠１１は、内外平行な外ベース壁２８および内ベース壁２９と、両ベース壁２８・２９を繋ぐ断面く字状の屈曲壁３０とを一体に備えたアルミニウム条材からなり、内外の両ルーバー枠１０・１２の間に、各ルーバー枠１０・１２と直行する状態で直線列状に配置する。屈曲壁３０の屈曲部外面と、内ベース壁２９の端部内面とのそれぞれには、それぞれ凹溝状の第１反転部３１と、第２反転部３２とが形成してある。屈曲壁３０と、内外の両ベース壁２８・２９との連続部分には、ビス用のねじ込み溝３３が形成してある。横方向へ隣接する中央ルーバー枠１１の間には、通気経路Ｔを構成する第２経路Ｔ２がく字状に折れ曲がる状態で形成される（図１、図５参照）。
【００２７】
図５に示すように、中央ルーバー枠１１は縦枠９ａと平行な姿勢で一定間隔置きに配置されて、図４に示すように上横枠９ｂの上面側からビス３４をねじ込み溝３３にねじ込むことにより、上横枠９ｂと一体化される。各中央ルーバー枠１１の下部は、内ベース３６にビス３５で締結固定される。内ベース３６は断面Ｔ字上のアルミニウム条材からなり、その横壁が下横枠９ｃに係合する状態で、縦壁部分が支持壁１７にビス３７で締結固定される。
【００２８】
上記のように、中央ルーバー枠１１を保形枠体９に固定した状態においては、図５に示すように、外ベース壁２８と、隣の中央ルーバー枠１１の第１反転部３１と、第２反転部３２との３者は内外に重なる。そのため、第２経路Ｔ２を通過する空気流は、図５に示すように第１反転部３１および、第２反転部３２でそれぞれ反転案内され、その間に空気流に比べて運動慣性力が大きな雨滴を第１反転部３１および、第２反転部３２に衝突させて、空気流に含まれている雨滴を分離できる。
【００２９】
以上のように構成した一対の換気ユニット１は、図３に示すように、逆Ｖ字状に起立配置されて、図６に示すように保形枠体９の上端どうしが逆へ字状の第１連結金具３９を介して締結固定される。第１連結金具３９は、上横枠９ｂに内嵌した締結金具４０に、ボルト４１およびナット４２で締結固定する。この連結部分の外面が天板４で覆われる。
【００３０】
図７に示すように、換気ユニット１は、換気開口２に臨む屋根下地Ｂに固定した取付金具４５に固定する。取付金具４５はＬ字状のプレス成形品であり、その横壁を屋根下地Ｂにボルト４６で固定し、その縦壁の外面に下横枠９ｃの締結壁１６をあてがってボルト４７で固定する。このように、換気ユニット１を屋根下地Ｂに固定した取付金具４５に直接締結する取り付け構造によれば、屋根下地Ｂの側に換気構造を支持するためのフレームやブラケットなどを設ける必要がないので、換気ユニット１をより少ない手間で屋根下地Ｂに固定できるうえ、換気構造全体の構造を簡素化できる。
【００３１】
長手方向へ隣接する換気ユニット１は、以下に説明する連結構造で連結されて一体化してある。詳しくは、図８に示すように、縦枠９ａに設けた第２連結金具１４どうしが互い違いに係合する状態で換気ユニット１を隣接配置し、縦枠９ａの外面にアルミニウム条材からなる締結レール４８を橋絡状にあてがったうえで、締結レール４８に挿通したボルト４９を第２連結金具１４にねじ込んで、隣接する換気ユニット１を一体化する。符号５０は締結レール４８と縦枠９ａとの間に配置される水密用のパッキンである。締結レール４８の外面は、締結レール４８に係合装着した連結部カバー５で覆われる。
【００３２】
屋内側の内ルーバー枠１２の表面に結露を生じるような場合に、結露水が換気開口２を介して屋内へ滴下するのを防ぐために、図７に示すように、換気ユニット１の保形枠体９の下部と屋根下地Ｂとの間に断面コ字状の内樋５２が配置してある。内樋５２は換気開口２の長手方向のほぼ全長にわたって配置してあり、屋根下地Ｂに一定間隔置きに固定したブラケット５３で支持されて、内ルーバー枠１２、受壁１８、および下横枠９ｃの下面一部から滴下する結露水を受け止めることができる。
【００３３】
内樋５２内の結露水を屋外へ排出するために、長手方向へ隣接する換気ユニット１の連結部ごとに排水路５４を設ける。図９に示すように排水路５４は断面コ字状の樋体からなり、その入口側の端部は内樋５２に連通され、出口側の端部に設けた係止部５５が屋根材５６の連結部５７に外面側から係合してある。排水路５４の外面は、屋根材５６の棟側終端を覆い隠すエンドカバー５８で覆われている。内樋５２内の結露水は、排水路５４を介して屋根材５６の連結部５７の外面へ流下案内され、最上段の屋根材５６の外面へ排出される。図７において符号５９は屋根材５６を屋根下地Ｂに固定する吊子である。
【００３４】
上記のように構成した換気構造によれば、図１に示すように、斜め下向きの第１経路Ｔ１と、中途部がく字状に屈曲する第２経路Ｔ２と、斜め上向きの第３経路Ｔ３とが連続する、三次元に屈曲する通気経路Ｔを介して換気空気を屋内側へ導入するので、空気の流れの向きが変るごとに雨滴を空気流から分離でき、例えば暴風時であっても、雨滴を含む空気流が屋内側へ吹き込むのを確実に解消できる。
【００３５】
外ルーバ枠１０および内ルーバー枠１２の第３壁２３が逆ハ字状に傾斜する状態で、両ルーバー枠１０・１２を保形枠体９に固定するので、雨滴を含む風が屋根面に沿って軒側から棟側へ向かって吹き抜けるとき、雨滴を第３壁２３で受け止めて空気流から分離でき、従って、第３壁２３が逆向きに傾斜配置してある場合に比べて、中央ルーバー枠１１による雨滴の分離負荷を軽減し、雨滴の屋内への浸入をさらに確実に防止できる。
【００３６】
第２経路Ｔ２の入口を、外ルーバー枠１０の第２壁２２によって規定し、さらに、第２経路Ｔ２の出口側開口を、内ルーバー枠１２の第２壁２２でせき止めて出口を規定するので、第１経路Ｔ１から第２経路Ｔ２に吹き込んだ空気流が、第２経路Ｔ２を斜め下向きに吹き抜けるのを阻止できる。つまり、図５に示すように、第２経路Ｔ２に侵入した空気流を、第１反転部３１と、第２反転部３２とにほぼ直交状に流入させて、運動慣性力を利用した雨滴の分離を確実に行うことができる。
【００３７】
図１０は本発明の別実施例を示す。そこでは、中空のアルミニウム条材からなる下横枠９ｃの傾斜下端側内部に融雪用のヒーター６２を配置して、下横枠９ｃの上面付近における雪や雨水の凍結を防ぐ点が先の実施例と異なる。下横枠９ｃの上面は、空気流から分離されて換気ルーバー１内を流下してきた雨水の排出口となるが、この分が凍結し、さらに下段側の外ルーバー枠１０の外面を覆うように雪が積もると、換気ユニット１内を流下してきた水が凍結部分や雪でせき止められ、受壁１８を乗越えて屋内側へ溢れるおそれがある。このような、寒冷期の漏水を防ぐために融雪用のヒーター６２を設けている。
【００３８】
融雪用のヒーター６２の電源としては、換気ユニット１の外面に配置した太陽電池６３を利用できる。その場合には、例えば、換気ユニット１の長手方向の一部に太陽電池６３を配置して、太陽電池６３によって換気ユニット１の換気作用が阻害されるのを極力防止できるようにする。なお、太陽電池６３で発電された電力は、換気開口２の近傍に設けた換気扇や、照明器具の電源として利用してもよい。もちろん、商用電源を太陽電池６３と併用してヒーター６２を稼動することができる。
【００３９】
図１１は、本発明の換気構造を折版屋根に適用した実施例を示す。そこでは、折版屋根屋根材５６に固定した取付金具４５で、換気ユニット１を支持した。また、折版屋根屋根材５６の棟側の端部を、換気ユニット１の下面側まで突設して、折版屋根屋根材５６これ自体が内樋５２の機能を兼ねるようにした。雨水の吹き込みを防ぐために、折版屋根屋根材５６の谷部はエプロン６６で塞いであり、さらに谷部の上端が仕切り板６５で塞いである。他は先の実施例と同じであるので、同じ部材に同じ符号を付してその説明を省略する。
【００４０】
上記の実施例では、換気ユニット１を三角屋根状に組んで換気構造としたが、その必要はなく、例えば一対の換気ユニット１を垂直に起立配置して、両ユニットの上端を天板に相当する屋根材で覆う形態を採ることができる。その場合には、下横枠外９ｃを上横枠９ｂと同様のチャンネル断面状のアルミニウム条材で形成することができる。外ルーバー枠１０と内ルーバー枠１２とは、それぞれの第２壁２２が上下互違い状に対向する状態で配置することができる。外ルーバー枠１０と内ルーバー枠１２とは、必ずしも同一構造である必要はなく、換気構造に要求される仕様に応じて、内ルーバー枠１２の断面構造を変更することができる。
【００４１】
換気ユニット１の長手方向の一部に、透明なガラスやプラスチック材をはめ込んで、採光窓を形成することができる。本発明の換気構造は、実施例で説明した横葺屋根以外に、縦葺き屋根などにも適用できる。
【図面の簡単な説明】
【００４２】
【図１】換気ユニットのルーバー構造と通気経路を示す斜視図である。
【図２】換気構造の外観構造を示す斜視図である。
【図３】換気構造の縦断面図である。
【図４】換気ユニットの縦断面図である。
【図５】換気ユニットの横断面図である。
【図６】換気ユニットの上部連結構造を示す断面図である。
【図７】換気ユニットの取り付け構造を示す断面図である。
【図８】換気ユニットの横方向連結構造を示す横断面図である。
【図９】内樋の排水路構造を示す断面図である。
【図１０】換気ユニットの別実施例を示す断面図である。
【図１１】換気構造の別実施例を示す断面図である。
【符号の説明】
【００４３】
１  換気ユニット
２  換気開口
９  保形枠体
９ａ  保形枠体の縦枠
９ｃ  保形枠体の下横枠
１０  外ルーバー枠
１１  中央ルーバー枠
１２  内ルーバー枠
２１  第１壁
２２  第２壁
２３  第３壁
２８  外ベース壁
２９  内ベース壁
３０  屈曲壁
３１  第１反転部
３２  第２反転部
４５  取付金具
５２  内樋
５４  排水路
６２  ヒーター
Ｂ  屋根下地
Ｔ  通気経路
Ｔ１  第１経路
Ｔ２  第２経路
Ｔ３  第３経路
【図１】
0003688696.tif 000002
【図２】
0003688696.tif 000003
【図３】
0003688696.tif 000004
【図４】
0003688696.tif 000005
【図５】
0003688696.tif 000006
【図６】
0003688696.tif 000007
【図７】
0003688696.tif 000008
【図８】
0003688696.tif 000009
【図９】
0003688696.tif 000010
【図１０】
0003688696.tif 000011
【図１１】
0003688696.tif 000012